(57)【要約】【課題】健常者は勿論のこと、非健常者でも（たとえ車椅子に座ったままの非健常者でも）、安全に容易に操作できるＯＡ機器用操作パネルを提供する。操作パネルに関して安全に容易に操作できるＯＡ機器を提供する。【解決手段】ＯＡ機器ＭＦＰ本体に固定設置するＯＡ機器用操作パネル１であり、奥側から手前側へ向け湾曲状に下る表面を有する、ＥＬ素子にて表示を行うスクリーン１１と、スクリーン１１上に配置された透明タッチパネル１２を含み、パネル１２に、スクリーンにて表示される操作エリアａを奥側と手前側との間で移動させる操作エリア移動指示部ｂが設けられており、該指示部ｂの操作にて操作エリアａを湾曲スクリーン表面に沿って奥側手前側方向且つ上下方向に移動させることができる操作パネル。該操作パネル１を備えたＯＡ機器ＭＦＰ。【選択図】図２
2007128408.tif 000002
【特許請求の範囲】
【請求項１】
ＯＡ機器本体に固定設置するＯＡ機器用操作パネルであり、ＯＡ機器本体に固定設置された状態で該ＯＡ機器本体の奥側から手前側へ向け湾曲状に下る表面を有する、ＥＬ素子にて表示を行うスクリーンと、該スクリーン上に配置された透明タッチパネルを含み、該透明タッチパネルには該スクリーンにて該タッチパネルに表示される操作エリアをＯＡ機器本体の奥側と手前側との間で移動させるための操作エリア移動指示部が設けられており、該操作エリア移動指示部を操作することで該操作エリアを前記湾曲したスクリーン表面に沿って奥側手前側方向且つ上下方向に移動させることができることを特徴とするＯＡ機器用操作パネル。
【請求項２】
前記透明タッチパネルは感圧式タッチパネルであり、前記操作エリア移動指示部は前記スクリーンにて該感圧式タッチパネルに表示され、該感圧式タッチパネル上で、表示された該操作エリア移動指示部を操作することで前記操作エリアを前記湾曲したスクリーン表面に沿って奥側手前側方向且つ上下方向に移動させることができる請求項１記載のＯＡ機器用操作パネル。
【請求項３】
前記透明タッチパネルは静電式タッチパネルで構成された前記操作エリア移動指示部を含んでおり、該操作エリア移動指示部を操作することで前記操作エリアを前記湾曲したスクリーン表面に沿って奥側手前側方向且つ上下方向に移動させることができる請求項１記載のＯＡ機器用操作パネル。
【請求項４】
前記操作エリア移動指示部はダイヤル部材であり、該ダイヤル部材を操作することで前記操作エリアを前記湾曲したスクリーン表面に沿って奥側手前側方向且つ上下方向に移動させることができる請求項１記載のＯＡ機器用操作パネル。
【請求項５】
前記スクリーン表面は連続的に湾曲した湾曲表面である請求項１から４のいずれかに記載のＯＡ機器用操作用パネル。
【請求項６】
前記スクリーン表面は段階的に傾斜角度を変えた多面からなる湾曲状表面である請求項１から４のいずれかに記載のＯＡ機器用操作用パネル。
【請求項７】
請求項１から６のいずれかに記載のＯＡ機器用操作用パネルを備えたＯＡ機器。
【発明の詳細な説明】
【技術分野】
【０００１】
本発明は、複写機、プリンタ、ファクシミリ機、これらのうち２以上を組み合わせた複合機等の電子写真方式や静電記録方式等による画像形成装置などのＯＡ機器用の操作パネル及び該操作パネルを備えたＯＡ機器に関する。
【背景技術】
【０００２】
複写機、プリンタ等の画像形成装置などの、ＯＡ（office automation)機器と称されている機器には、通常、操作パネルが設けられている。例えば、複写機を例にとると、複写枚数等を指定するテンキー、複写用紙のサイズ等を指定するサイズ等指定キー、複写開始を指示するキー等や、或いはさらに各種情報を表示する領域等を有する操作パネルが設けられている。
【０００３】
一方、最近、様々の分野の製品においてＵＤ（ユニバーサルデザイン）対応が注目されており、ＯＡ機器においても同様であり、その操作部等についてはＵＤ対応が求められている。例えば、特開２００３−２４６１１４号公報には、画像形成装置等の操作パネルとして、健常者は勿論、身体障害者が車椅子に座ったままでも容易に表示内容を確認したり、キー操作ができるように、取付け角度を変更できるようにした操作パネルが記載されている。
【０００４】
かかる取付け角度変更可能の操作パネルは概ね図６及び図７に示すものである。すなわち、画像形成装置等の本体部分Ｂｄに操作パネルＰが回動可能に連結され、該パネルの手前側部分ｐｆが上下動可能であり、それによりパネル取付け角度を変更できる。
【０００５】
取付け角度変更にあたっては、手前側のレバーＬを引くことで図示省略のロックを解除し、操作・表示面ｐｓを小さい対水平角度θから大きい対水平角度θ’までの範囲で適当な角度に設定できるようになっている。レバーＬを放すとレバーが元の位置に戻って操作・表示面ｐｓを所望の角度にロックできる。
【０００６】
操作・表示面ｐｓは、操作者の目線（Ａ、Ｂ）と略直交する面になるように、操作者に応じて、例えば、角度θ（約７°）から角度θ’（約４５°）の範囲で適当な角度に設定することができ、角度θが約７°のとき、機器設置床面から操作パネルの操作・表示面ｐｓまでの高さは約１０００ｍｍ〜１０５０ｍｍであり、これにより、健常者は勿論、身体障害者が車椅子に座ったままでも容易に表示内容を確認したり、キー操作ができるようにしてある。
【０００７】
【特許文献１】特開２００３−２４６１１４号公報
【発明の開示】
【発明が解決しようとする課題】
【０００８】
しかしながら、かかるレバー操作による操作パネル角度変更調整では、手の動き等に制限のある非健常者にとっては、該レバーを引くこと自体が困難な場合があり、健常者の想像を超える困難さがある場合があるとも指摘されている。レバーに紐を掛けて引くといった工夫等もなされおり、それにより、レバー操作の困難さはある程度改善されるものの、それでも、満足できるものではない。
【０００９】
このようなレバー操作の困難さを解消するために、レバーを引くなどのロック解除の操作なしで、軽く押す等の操作だけで操作パネルの角度を変更できるようにすることも考えられるが、それでは、ある力量以上かけると、例えば操作者が操作パネルに寄り掛かったりした場合、操作面の角度が変わってしまって却って操作しずらくなったり、パネルの角度変更可能分だけ一挙に角度が変わって危険な場合もある。
【００１０】
これに対し、強く押さなければ操作パネルの角度を変更できないようにすれば、ＵＤ対応に逆行することとなるばかりか、ある力量以上が加わると、パネルの角度変更可能分だけ一挙に角度が変わって危険である。
【００１１】
操作パネルをボタン操作等により上下動させることも考えられるが、ＯＡ機器の構造によっては、下降させた操作パネルが、例えば複写済用紙等の取り出しを困難にすることもあり、好ましくない。
【００１２】
そこで本発明は、健常者は勿論のこと、非健常者でも（たとえ車椅子に座ったままの非健常者でも）、安全に容易に操作できるＯＡ機器用操作パネルを提供することを課題とする。
また本発明は、健常者は勿論のこと、非健常者でも（たとえ車椅子に座ったままの非健常者でも）、操作パネルに関して安全に容易に操作できるＯＡ機器を提供することを課題とする。
【課題を解決するための手段】
【００１３】
かかる課題を解決するため本発明は、ＯＡ機器本体に固定設置するＯＡ機器用操作パネルであり、ＯＡ機器本体に固定設置された状態で該ＯＡ機器本体の奥側から手前側へ向け湾曲状に下る表面を有する、ＥＬ（エレクトロルミネセンス）素子にて表示を行うスクリーンと、該スクリーン上に配置された透明タッチパネルを含み、該透明タッチパネルには該スクリーンにて該タッチパネルに表示される操作エリアをＯＡ機器本体の奥側と手前側との間で移動させるための操作エリア移動指示部が設けられており、該操作エリア移動指示部を操作することで該操作エリアを前記湾曲したスクリーン表面に沿って奥側手前側方向且つ上下方向に移動させることができるＯＡ機器用操作パネル及び該ＯＡ機器用操作パネルを備えたＯＡ機器を提供する。
【００１４】
ここで「ＯＡ機器」とは、一般にＯＡ（office automation)機器と称されている機器を指し、それは、複写機、プリンタ、ファクシミリ機、これらのうち２以上を組み合わせた複合機等のＯＡ機器に属する機器のうちいずれでもよい。
【００１５】
本発明に係るＯＡ機器用操作パネルはＯＡ機器に固定設置するものであるから、該操作パネルが外力により急激に姿勢変更する等の危険性なく安全に使用できる。
また、ＯＡ機器全体の使用に支障のないＯＡ機器本体部位を選んで、例えばＯＡ機器が複写機である場合において複写済用紙の取り出し等に支障のない複写機本体部位を選んで、該部位に固定設置することで、ＯＡ機器の使用に支障を来さないようにできる。
【００１６】
本発明に係るＯＡ機器用操作パネルは、ＯＡ機器に固定設置するものではあるが、ＯＡ機器本体に固定設置された状態でＯＡ機器本体の奥側から手前側へ向け湾曲状に下る表面を有する、ＥＬ素子にて表示を行うスクリーンと、該スクリーン上に配置され、従って同様に湾曲状に下る表面を有する透明タッチパネルを含む構造のものであり、透明タッチパネルには操作エリア移動指示部を設けてあるから、健常者は勿論のこと、非健常者でも（たとえ車椅子に座ったままの非健常者でも）、そのスクリーン及びタッチパネルの湾曲状に下り傾斜した形態故に、該操作エリア移動指示部に容易に手を触れて、それを操作し、簡単容易に、操作エリアを見え易い位置へ上下方向にスクロール移動させることができる。
【００１７】
本発明に係るＯＡ機器は、かかる本発明に係る操作パネルを備えていることで、健常者は勿論のこと、非健常者でも（たとえ車椅子に座ったままの非健常者でも）、それだけ容易に操作できる。
【００１８】
前記透明タッチパネルとしては、１例として感圧式タッチパネルを上げることができ、感圧式タッチパネルを採用する場合、前記操作エリア移動指示部は前記スクリーンにて該感圧式タッチパネルに表示されるものとし、該感圧式タッチパネル上で、そこに表示された操作エリア移動指示部を操作することで前記操作エリアを前記湾曲したスクリーン表面に沿って奥側手前側方向且つ上下方向に移動させることができるようにすればよい。
【００１９】
また、前記透明タッチパネルは静電式タッチパネルで構成された前記操作エリア移動指示部を含むものとしてもよい。この場合、該操作エリア移動指示部を操作することで前記操作エリアを前記湾曲したスクリーン表面に沿って奥側手前側方向且つ上下方向に移動させることができるようにすればよい。
【００２０】
このように透明タッチパネルを静電式タッチパネルで構成された操作エリア移動指示部を含むものとする場合、操作エリアに対応する部分については、感圧式タッチパネルで構成してもよい。
【００２１】
また、前記操作エリア移動指示部はダイヤル部材としてもよい。この場合、該ダイヤル部材を操作することで前記操作エリアを前記湾曲したスクリーン表面に沿って奥側手前側方向且つ上下方向に移動させることができるようにすればよい。
【００２２】
前記スクリーン表面、ひいては前記タッチパネル表面は連続的に湾曲した湾曲表面であってもよいし、段階的に傾斜角度を変えた多面からなる湾曲状表面であってもよい。
【発明の効果】
【００２３】
以上説明したように本発明によると、健常者は勿論のこと、非健常者でも（たとえ車椅子に座ったままの非健常者でも）、安全に容易に操作できるＯＡ機器用操作パネルを提供することができる。
また本発明によると、健常者は勿論のこと、非健常者でも（たとえ車椅子に座ったままの非健常者でも）、操作パネルに関して安全に容易に操作できるＯＡ機器を提供することができる。
【発明を実施するための最良の形態】
【００２４】
以下、本発明の実施形態について図面を参照して説明する。
図１は、本発明に係るＯＡ機器の１例を示している。このＯＡ機器は複写機、ファクシミリ機及びプリンタを兼ねる複合機ＭＦＰである。
【００２５】
複合機ＭＦＰは、原稿台ガラスＧＬ、原稿台ガラスのカバーを兼ねる自動原稿送り装置ＡＤＦ、原稿台ガラス下の画像読取装置ＩＲ、その下方のプリンタ部ＰＲ及びその下の記録媒体供給カセットＣ等を備えており、画像読取装置ＩＲとプリンタ部ＰＲの間には排出トレイ部Ｔがあり、画像読取装置ＩＲの手前側部位に固定された操作パネル１を有している。
【００２６】
この複合機ＭＦＰによると、自動原稿送り装置ＡＤＦを開いて原稿台ガラスＧＬ上に原稿をセットして原稿静止状態にて画像読取装置ＩＲにて原稿画像を読み取ることもできるし、自動原稿送り装置ＡＤＦに原稿をセットして原稿台ガラスＧＬに対し原稿を移動させ、所謂原稿流し撮りモードで画像読取装置ＩＲにて原稿画像を読み取ることもできる。
画像読取装置ＩＲが読み取った原稿画像情報は、通信手段により所望のところへ送信することができるし、プリンタ部ＰＲにおける画像形成に供することもできる。
【００２７】
プリンタ部ＰＲは、画像読取装置ＩＲから読み取り原稿画像情報が送られてくると、本例では電子写真プロセスにてカセットＣから供給されてくる記録紙等の記録媒体に原稿の複写画像を形成し、該記録媒体をトレイ部Ｔへ排出する。プリンタ部ＩＲは、他の機器（例えばコンピュータ）から送信されてくる画像情報に基づいても画像形成（プリント）することができる。
【００２８】
操作パネル１は、原稿セット、原稿の取り出しや、トレイ部Ｔに排出される画像形成された記録媒体の取り出し等、複合機ＭＦＰの全体的な操作に支障のない位置にある。
また、操作パネル１は、複合機ＭＦＰに固定設置されており、該操作パネル１が外力により急激に姿勢変更する等の危険性なく安全に使用できる。
【００２９】
図２及び図３は操作パネル１を抽出して示しており、図２は操作パネル１における操作エリアａ及び操作エリア移動指示部ｂがパネルの上部に位置している場合を、図３は該操作エリアａ及び操作エリア移動指示部ｂがパネルの下部に位置している場合を示している。図４は、操作パネル１の一部の断面図である。また、図５は、操作パネル１を側面から見て示す図であり、該図において、ａは操作エリアのある範囲を、Ａは操作エリアがパネル上部に位置する時の目線の例を、Ｂは操作エリアがパネル下部に位置する時の目線の例を示している。
【００３０】
操作パネル１は、図１に示すように複合機本体に固定設置された状態でパネル表面が該複合機本体の奥側から手前側へ向け湾曲状に下っている。
操作パネル１は、ＥＬ素子を配列したスクリーン１１及び該スクリーン表面に重ね設けられた透明の感圧式タッチパネル１２を含んでいる。
【００３１】
スクリーン１１は、図４に示すように、ＥＴＬ（電子輸送層）１１１、ＥＭＬ（発光層）１１２及びＨＴＬ（正孔輸送層）１１３をこの順序で積層してＥＬ層１００を形成し、該ＥＬ層の片面（ＥＴＬ層側の面）に電極（カソード）１１４を、もう片方の面（ＨＴＬ層側の面）に透明電極（アノード）１１５を設け、かくしてＥＬ素子を配列したスクリーンとしたものである。
【００３２】
このスクリーン１１は、パネル外装部材１１７の湾曲した表面に積層された可撓性フィルム１１６表面に、カソード１１４が重なるようにして積層されることで、スクリーン表面が湾曲しており、該スクリーン表面に透明の感圧式タッチパネル１２が積層され、タッチパネル１２も同様に湾曲している。
【００３３】
スクリーン１１は図示省略の表示制御部からの指示のもとにスクリーン駆動部により駆動されて画像表示でき、かかる画像表示においてスクリーン１１に操作エリアａ及び操作エリア移動指示部ｂが表示され、これらエリアが透明タッチパネル１２に表示される。さらに言えば、透明タッチパネル１２を通して該タッチパネル１２に表示される。該表示制御部にはタッチパネル１２への手指の接触情報が入力されるようにもなっている。
【００３４】
操作エリアａは、複合機操作のための置数キー、送信オンオフキー等のエリアａ１、モード切り替えや各種設定等のためのエリアａ２を含んでいる。
操作エリア移動指示部ｂにはマークｂ１が表示される。
【００３５】
以上説明した操作パネル１によると、図２に示すように操作エリアａ及び操作エリア移動指示部ｂが、健常者による操作に都合のよい上部に表示されている状態において、非健常者、例えば車椅子に座った非健常者が、該操作エリア移動指示部ｂのマークｂ１に手指を触れ、そのまま奥側から手前側へ、且つ、下方α方向へ、タッチパネル１２表面をなぞりつつ手指を移動させ、そのあと該手指をタッチパネル１２から離すことで、その操作情報が前記図示省略の表示制御部に入力され、表示制御部は該情報入力に呼応して、図示省略のスクリーン駆動部に指示して、操作エリア移動表示部ｂ及び操作エリアａを例えば図３に示すように操作パネルの下部へスクロール移動させて該下部に表示させる。これにより、非健常者でも、例えば車椅子に座った非健常者でも、操作エリアａを見やすい位置に配置して、操作パネルの操作を簡単容易に行うことができる。
【００３６】
下方へ移動した操作エリアａは、操作エリア移動指示部ｂに手指をふれて手前側から奥側へ、且つ、上方β方向へなぞることで上方へ移動させることができる。
かかる、操作エリアａを上下にスクロール移動させて所望位置に停止させるに要する操作は、タッチパネル１２に手指を接触させてなぞり、所望位置でタッチパネルから手指を離すだけであり、たとえ非健常者でも簡単、容易に行える。
なお、かかる操作エリアａの上下移動は左右の操作エリア移動指示部ｂのうちいずれか一方を操作するだけで行える。
【００３７】
以上説明した操作パネル１においては、透明タッチパネル１２はその全体が感圧式タッチパネルで構成されているが、例えば、操作エリアａの移動範囲領域については感圧式タッチパネルとし、操作エリア移動指示部ｂの移動範囲領域については静電式タッチパネルとしてもよい。
【００３８】
また、図示を省略しているが、操作エリア移動指示部として、前記の指示部ｂに代えて、操作パネル表面に、例えば車椅子に座った非健常者者でも操作し易い位置として、操作パネルの下部又はそこに近い位置に、簡単に操作できる機械的な操作エリア移動指示ダイヤル部材等の操作部材を設けてもよい。
【産業上の利用可能性】
【００３９】
本発明は、非健常者でも操作容易なＯＡ機器用操作パネルやＯＡ機器を提供することに利用できる。
【図面の簡単な説明】
【００４０】
【図１】本発明に係るＯＡ機器の１例（複合機）の斜視図である。
【図２】本発明に係る操作パネル例の斜視図であり、操作エリア及び操作エリア移動指示部が上部に位置している状態を示している。
【図３】図２に示すものと同じ操作パネルの斜視図であり、操作エリア及び操作エリア移動指示部が下部に位置している状態を示している。
【図４】本発明に係る操作パネル例の構造を示す操作パネルの一部の断面図である。
【図５】本発明に係る操作パネル例を側面からみて示す図である。
【図６】従来の角度変更可能の操作パネル例を示すもので、図（Ａ）はパネル操作面の対水平角度を小に設定した状態を、図（Ｂ）は非健常者のためにパネル操作面の対水平角度を大に設定した状態を示している。
【図７】図６の（Ａ）図及び（Ｂ）図を合わせて示す図である。
【符号の説明】
【００４１】
ＭＦＰ  複合機
ＧＬ  原稿台ガラス
ＡＤＦ  自動原稿送り装置
ＩＲ  画像読取装置
ＰＲ  プリンタ部
Ｃ  記録媒体供給カセット
Ｔ  排出トレイ部
１  操作パネル
１１  スクリーン
１００  ＥＬ層
１１１  ＥＴＬ（電子輸送層）
１１２  ＥＭＬ（発光層）
１１３  ＨＴＬ（正孔輸送層）
１１４  電極（カソード）
１１５  透明電極（アノード）
１１６  可撓性フィルム
１１７  パネル外装部材
１２  透明タッチパネル
ａ  操作エリア
ａ１  キー等エリア
ａ２  モード切り替え設定等エリア
ｂ  操作エリア移動指示部
ｂ１  マーク
Ａ、Ｂ  目線
Ｂｄ  画像形成装置等の本体部分
Ｐ  操作パネル
ｐｆ  操作パネルＰの手前側部分
ｐｓ  操作パネルの操作・表示面
Ｌ  レバー
【図１】
2007128408.tif 000003
【図２】
2007128408.tif 000004
【図３】
2007128408.tif 000005
【図４】
2007128408.tif 000006
【図５】
2007128408.tif 000007
【図６】
2007128408.tif 000008
【図７】
2007128408.tif 000009